(57)【要約】      （修正有）【課題】不良ノズルによる画質劣化を低減する。【解決手段】不良ノズルに隣接する不良周辺ノズルで記録する画素のみではなく、不良周辺ノズルから正常ノズルまでの間の、不良周辺ノズルについて階調値を補正する。この階調値の補正では、不良ノズルに隣接する不良周辺ノズルから正常ノズル方向に向かって、不良ノズルからの距離が大きくなるほど小さくなる補正量の加算及び減算を１画素毎に交互に繰り返し実行する。不良ノズルによる白筋の発生を抑制するとともに、不良周辺ノズルから正常ノズル方向に向かって、除々に濃度変換により得られた階調値へと濃度が推移するので、隣接する不良ノズルで記録する画素による黒筋の発生を抑制し、不良ノズルから正常ノズルＢ6で記録する画素間で大きな濃度差が発生することを防ぐことができる。【選択図】図８
2006076086.tif 000002
【特許請求の範囲】
【請求項１】
インク滴を複数のノズルの各々から吐出することによって、各画素に対応するドットを記録する記録ヘッドと、
記録したときの最大濃度を最大値としかつ記録したときの最小濃度を最小値とする階調値で各画素のデータが表された画像データの各画素を、正常なドット形成が不可能な不良ノズルで記録する第１の画素、該不良ノズルの周辺に位置する不良周辺ノズルで記録する第２の画素、及び前記不良ノズル及び前記不良周辺ノズル以外の正常ノズルで記録する第３の画素に分類する分類手段と、
前記第１の画素の階調値を前記最小値に変換し、前記第２の画素の階調値及び前記第３の画素の階調値を、記録したときの濃度と階調値とが線形に変化するように定めた線形関係に基づいて変換する変換手段と、
前記不良ノズルからの距離が大きくなる程小さくなる補正量に基づいて、前記変換手段で変換された前記第２の画素の階調値を補正する補正手段と、
前記変換手段によって変換された前記第１の画素の階調値及び第３の画素の階調値と、前記補正手段によって補正された前記第２の画素の階調値と、に基づいて、階調値が最小値の画素のドット形成を禁止するとともに、階調値が大きくなるほど大きいドットが記録されるように前記記録ヘッドを制御する制御手段と、
を備えたインクジェット記録装置。
【請求項２】
前記補正手段は、前記不良ノズルに隣接する不良周辺ノズルから正常ノズル方向に向かって、対応する前記第２の画素各々の階調値への前記補正量の加算及び減算を交互に繰り返すことによって前記変換手段で変換された前記第２の画素の階調値を補正する請求項１に記載のインクジェット記録装置。
【請求項３】
前記補正手段は、前記補正量を、前記変換手段で変換された対応する前記第２の画素各々の階調値に加算することによって前記変換手段で変換された前記第２の画素の階調値を補正する請求項１に記載のインクジェット記録装置。
【請求項４】
前記補正量を、前記変換手段による変換前の階調値と変換後の階調値との差と前記不良ノズルから前記正常ノズルまでの距離とで定まる単位距離当たりの単位補正量、及び前記不良周辺ノズルの前記不良周辺ノズルからの距離により定めた請求項１乃至請求項３の何れか１項に記載のインクジェット記録装置。
【請求項５】
前記補正量を、前記不良周辺ノズルの前記不良ノズルからの距離に対して線形に変化するように定めた請求項１乃至請求項４の何れか１項に記載のインクジェット記録装置。
【請求項６】
前記補正量を、前記不良周辺ノズルの前記不良ノズルからの距離に対して非線形に変化するように定めた請求項１乃至請求項４の何れか１項に記載のインクジェット記録装置。
【請求項７】
インク滴を複数のノズルの各々から吐出することによって、各画素に対応するドットを記録し、
記録したときの最大濃度を最大値としかつ記録したときの最小濃度を最小値とする階調値で各画素のデータが表された画像データの各画素を、正常なドット形成が不可能な不良ノズルで記録する第１の画素、該不良ノズルの周辺に位置する不良周辺ノズルで記録する第２の画素、及び前記不良ノズル及び前記不良周辺ノズル以外の正常ノズルで記録する第３の画素に分類し、
前記第１の画素の階調値を前記最小値に変換し、前記第２の画素の階調値及び前記第３の画素の階調値を、記録したときの濃度と階調値とが線形に変化するように定めた線形関係に基づいて変換し、
前記不良ノズルからの距離が大きくなる程小さくなる補正量に基づいて、前記変換手段で変換された前記第２の画素の階調値を補正し、
前記変換手段によって変換された前記第１の画素の階調値及び第３の画素の階調値と、前記補正手段によって補正された前記第２の画素の階調値と、に基づいて、階調値が最小値の画素のドット形成を禁止するとともに、階調値が大きくなるほど大きいドットが記録されるように制御する、
インクジェット記録方法。
【発明の詳細な説明】
【技術分野】
【０００１】
本発明はインクジェット記録装置、及びインクジェット記録方法に係り、特に、各画素に対応するドットを記録する記録ヘッドを備えたインクジェット記録装置、及びインクジェット記録方法に関する。
【背景技術】
【０００２】
インクをノズルから吐出させることにより画像データに応じた画像の記録動作を行う記録ヘッドが設けられたインクジェット記録装置が知られている。このようなインクジェット記録装置では、複数のノズルからインクを吐出することで、画像データの各画素に対応するドットを記録する。
【０００３】
この種のインクジェット記録装置では、近年、ノズルの高密度化が進み、記録ヘッド内のノズル数も多くなってきている。また、印字スピードの高速化への要求から、記録ヘッドを固定して、紙等の印字媒体を搬送する方向（副走査方向）と直交する方向（主走査方向）の１ラインの記録を、記録ヘッドの複数ノズルによる１回のインク吐出により行う１パスによる画像形成が行われている。１パスで良好な画質を得るには、全ノズルにおいて良好なインク吐出が望まれるが、現実には、加工精度やコストの面から全ノズルにおいて良好なインク吐出を行うことは難しく、１ヘッド当たりのノズル数が増えていることも有り、正常なドット形成が困難な不良ノズルを含まない記録ヘッドの製造は困難である。このため、不良ノズルによるインクの吐出不良や不吐出などによって白筋等の発生による画質劣化の問題があった。
【０００４】
このような不良ノズルによる画質劣化を抑制する技術が開示されている（例えば、特許文献１、及び特許文献２参照）。
【０００５】
特許文献１の技術では、不良ノズルのインク滴吐出を中止するとともに、不良ノズルに隣接する２つの正常ノズルで記録する画素に対応するドットを、通常記録時に比べて約２倍の大きさで記録するように制御する。また、特許文献２の技術では、不良ノズルに隣接するノズルによるドット径を大きくするように、ドット経を制御するための駆動回路を切換える。
【特許文献１】特開平１１―３４８２４６号公報
【特許文献２】特開２００２−０８６７６７号公報
【発明の開示】
【発明が解決しようとする課題】
【０００６】
しかしながら、上記従来の技術では、不良ノズルに隣接するノズルから吐出されるインクの径のみを大きくするように制御するため、不良ノズルに隣接するノズルで記録された画素によって、黒筋が発生し、画質劣化を引き起こすという問題があった。
【０００７】
本発明は、上記問題点を解決すべくなされたものであり、不良ノズルによる画質劣化を低減することが可能なインクジェット記録装置、及びインクジェット記録方法を提供することを目的とする。
【課題を解決するための手段】
【０００８】
上記課題を解決するために本発明のインクジェット記録装置は、インク滴を複数のノズルの各々から吐出することによって、各画素に対応するドットを記録する記録ヘッドと、記録したときの最大濃度を最大値としかつ記録したときの最小濃度を最小値とする階調値で各画素のデータが表された画像データの各画素を、正常なドット形成が不可能な不良ノズルで記録する第１の画素、該不良ノズルの周辺に位置する不良周辺ノズルで記録する第２の画素、及び前記不良ノズル及び前記不良周辺ノズル以外の正常ノズルで記録する第３の画素に分類する分類手段と、前記第１の画素の階調値を前記最小値に変換し、前記第２の画素の階調値及び前記第３の画素の階調値を、記録したときの濃度と階調値とが線形に変化するように定めた線形関係に基づいて変換する変換手段と、前記不良ノズルからの距離が大きくなる程小さくなる補正量に基づいて、前記変換手段で変換された前記第２の画素の階調値を補正する補正手段と、前記変換手段によって変換された前記第１の画素の階調値及び第３の画素の階調値と、前記補正手段によって補正された前記第２の画素の階調値と、に基づいて、階調値が最小値の画素のドット形成を禁止するとともに、階調値が大きくなるほど大きいドットが記録されるように前記記録ヘッドを制御する制御手段と、を備えて構成されている。
【０００９】
また、本発明のインクジェット記録方法は、インク滴を複数のノズルの各々から吐出することによって、各画素に対応するドットを記録し、記録したときの最大濃度を最大値としかつ記録したときの最小濃度を最小値とする階調値で各画素のデータが表された画像データの各画素を、正常なドット形成が不可能な不良ノズルで記録する第１の画素、該不良ノズルの周辺に位置する不良周辺ノズルで記録する第２の画素、及び前記不良ノズル及び前記不良周辺ノズル以外の正常ノズルで記録する第３の画素に分類し、前記第１の画素の階調値を前記最小値に変換し、前記第２の画素の階調値及び前記第３の画素の階調値を、記録したときの濃度と階調値とが線形に変化するように定めた線形関係に基づいて変換し、前記不良ノズルからの距離が大きくなる程小さくなる補正量に基づいて、前記変換手段で変換された前記第２の画素の階調値を補正し、前記変換手段によって変換された前記第１の画素の階調値及び第３の画素の階調値と、前記補正手段によって補正された前記第２の画素の階調値と、に基づいて、階調値が最小値の画素のドット形成を禁止するとともに、階調値が大きくなるほど大きいドットが記録されるように前記記録ヘッドを制御する、ことを特徴とする。
【００１０】
本発明のインクジェット記録装置の分類手段は、記録したときの最大濃度を最大値としかつ記録したときの最小濃度を最小値とする階調値で各画素のデータが表された画像データの各画素を、第１の画素、第２の画素、及び第３の画素に分類する。第１の画素は、記録ヘッドのノズルの内、インクの不吐出や吐出不良等により正常なドット形成が不可能な不良ノズルで記録する画素である。第２の画素は、不良ノズルの周辺に位置する不良周辺ノズルで記録する画素である。第３の画素は、不良ノズル及び不良周辺ノズル以外の正常ノズルで記録する画素である。
【００１１】
変換手段は、第１の画素の階調値を最小値に変換する。また、変換手段は、第２の画素の階調値及び第３の画素の階調値を、記録したときの濃度と階調値とが線形に変化するように定めた線形関係に基づいて変換する。線形関係に基づいて第２の画素及び第３の画素の階調値を変換することによって、記録したときの濃度が高濃度領域に偏らず、階調値と濃度との関係が線形に変化するように階調値が変換される。
【００１２】
補正手段は、不良ノズルからの距離が大きくなるほど小さくなるような補正量に基づいて、変換手段で変換された第２の画素の階調値を補正する。補正手段によって補正されることによって、変換手段で変換された第２の画素の階調値は、不良ノズルに最も近い不良周辺ノズルは最も大きい補正量で補正され、不良ノズルからの距離が大きくなるほど小さい補正量で補正される。
【００１３】
制御手段は、変換手段によって変換された第１の画素の階調値及び第３の画素の階調値と、補正手段によって補正された第２の画素の階調値と、に基づいて、階調値が最小値の画素のドット形成を禁止する。このように階調値が最小値の画素のドット形成を禁止することによって、階調値を最小値に変換された不良ノズルでドットを記録することを禁止することができる。また、制御手段は、変換手段によって変換及び補正手段によって補正された各画素の階調値が大きくなるほど大きいドットが記録されるように、記録ヘッドを制御する。また、制御手段の制御は、第３の画素については、変換手段によって変換された階調値に基づいた大きさのドットが記録され、第２の画素については、変換手段で変換された後に更に補正手段で補正された階調値に基づいた大きさのドットが記録されるように記録ヘッドを制御する。
【００１４】
このように、不良ノズルについてはドットを記録せず、かつ不良ノズル及び不良周辺ノズル以外の正常ノズルについては、変換手段で変換した階調値に応じた大きさのドットを記録する。更に不良周辺ノズルについては、変換手段で変換した階調値を更に不良ノズルからの距離が大きくなる程小さくなる補正量に基づいて補正した階調値に応じた大きさのドットを記録するので、不良周辺ノズルからの距離が大きくなるほど、補正された階調値から除々に変換手段で変換した階調値に応じた濃度のドットが記録される。
【００１５】
従って、不良ノズルによる白筋の発生を抑制するために、不良周辺ノズルで、変換手段により変換された階調値に応じた濃度より補正によって高濃度の画素が記録される場合であっても、不良ノズルからの距離が大きくなるほど、変換手段で変換された階調値により近い濃度の画素が記録されるので、不良周辺ノズルで記録した画素により黒筋が発生することを抑制することができる。従って、不良ノズルによる画質劣化を抑制することができる。
【００１６】
本発明の補正手段は、前記不良ノズルに隣接する不良周辺ノズルから正常ノズル方向に向かって、対応する前記第２の画素各々の階調値への前記補正量の加算及び減算を交互に繰り返すことによって前記変換手段で変換された前記第２の画素の階調値を補正することができる。補正手段の補正によって、不良ノズルに隣接する不良周辺ノズルに対応する階調値に補正量を加算し、さらに正常ノズル方向に隣接する不良周辺ノズルに対応する階調値から補正量を減算し、正常ノズル方向に向かって不良ノズルからの距離が大きくなるほど小さくなるような補正量の加算と減算とを交互に繰り返す。このような補正をすることによって、不良ノズルに隣接する不良周辺ノズルの階調値を増加させて高濃度の画素を記録するので、不良ノズルによる白筋の発生を抑制することができるとともに、補正量の減算と加算を繰り返すので、不良ノズルに隣接する不良周辺ノズルの濃度を上げることによって、画像全体の濃度が上昇することを抑制することができると共に、不良ノズルからの距離が大きくなるほど記録される画素の濃度を変換手段によって得られた階調値に基づく濃度に除々に近づけることができる
本発明の補正手段は、前記補正手段は、前記補正量を、前記変換手段で変換された対応する前記第２の画素各々の階調値に加算することによって前記変換手段で変換された前記第２の画素の階調値を補正することができる。このように補正量を第２の画素各々の階調値に加算することによって、不良ノズルからの距離が近いほど階調値が変換手段によって変換された階調値より大きくなるように補正し、不良ノズルからの距離が遠くなるほど階調値が変換手段によって変換された階調値に近い値となるように補正することができるので、不良ノズルからの距離が小さいほど高濃度の画素を記録し、この距離が大きくなるほど記録される画素の濃度を変換手段によって得られた階調値に基づく濃度に除々に近づけることができる。
【００１７】
前記補正量を、前記変換手段による変換前の階調値と変換後の階調値との差と前記不良ノズルから前記正常ノズルまでの距離とで定まる単位距離当たりの単位補正量、及び前記不良周辺ノズルの前記不良周辺ノズルからの距離により定めることができる。補正手段は、変換手段による変換前の階調値と変換後の階調値との差と、不良周辺ノズルの不良ノズルからの距離とに応じた補正量を用いて階調値を補正するので、変換前の階調値、変換後の階調値、及び不良ノズルから正常ノズルまでの距離に応じた補正量で、階調値を補正することができる。
【００１８】
前記補正量を、前記不良周辺ノズルの前記不良ノズルからの距離に対して線形に変化するように定めることができ、また前記補正量を、前記不良周辺ノズルの前記不良ノズルからの距離に対して非線形に変化するように定めることができる。補正手段は、補正量を前記不良周辺ノズルの前記不良ノズルからの距離に対して線形に変化するように定めることによって、記録された画素の濃度が不良ノズルから正常ノズルに向かって線形的に変化するようにすることができる。また、補正手段は、補正量を、前記不良周辺ノズルの前記不良ノズルからの距離に対して非線形に変化するように定めることによって、例えば、不良ノズルに近い不良周辺ノズルほど隣合うノズル間の補正量の差を大きくし、不良ノズルから遠い不良周辺ノズルほど補正量の差を小さくするようにずれば、視認されにくい高濃度領域の濃度の変化を大きくし、より視認されやすい低濃度領域の濃度変化を滑らかにすることができる。
【発明の効果】
【００１９】
本発明のインクジェット記録装置及びインクジェット記録方法によれば、不良ノズルについてはドットを記録せず、不良周辺ノズル以外の正常ノズルについては、変換手段で変換した階調値に応じた大きさのドットを記録し、不良周辺ノズルについては、変換手段で変換した階調値を更に不良ノズルからの距離に応じて小さくなる補正量に基づいて補正した階調値に応じた大きさのドットを記録するので、不良ノズルから正常ノズル方向へと除々に画素の濃度を変化させることができるので、不良ノズルによる画質劣化を抑制することができる、という効果を有する。
【発明を実施するための最良の形態】
【００２０】
以下、図面を参照して本発明の実施の形態について詳細に説明する。
【００２１】
図１に示すように、本実施形態のインクジェット記録装置１２の筐体１４内の下部には給紙トレイ１６が設けられており、給紙トレイ１６内に積層された用紙Ｑをピックアップロール１８で１枚ずつ取り出すことができる。取り出された用紙Ｑは、所定の搬送経路２２を構成する複数の搬送ローラ対２０で搬送される。
【００２２】
給紙トレイ１６の上方には、駆動ロール２４及び従動ロール２６に張架された無端状の搬送ベルト２８が配置されている。搬送ベルト２８の上方には記録ヘッドアレイ３０が配置されており、搬送ベルト２８の平坦部分２８Ｆに対向している。この対向した領域が、記録ヘッドアレイ３０からインク滴が吐出される吐出領域ＳＥとなっている。搬送経路２２を搬送された用紙Ｑは、搬送ベルト２８で保持されてこの吐出領域ＳＥに至り、記録ヘッドアレイ３０に対向した状態で、記録ヘッドアレイ３０から画像データに応じたインク滴が吐出される。
【００２３】
記録ヘッドアレイ３０は、用紙Ｑの幅方向（搬送方向と直交する方向）に図示を省略する複数のインクジェット記録ヘッドが配列された構成の長尺状のイエロー（Ｙ）、マゼンタ（Ｍ）、シアン（Ｃ）、及びブラック（Ｋ）の４色の記録ヘッド３２が、搬送方向に沿って配列された構成となっており、フルカラーの画像を記録可能になっている。
【００２４】
図４（Ｂ）に示すように、各色記録ヘッド３２を構成する複数のインクジェット記録ヘッド３３各々は、インクを吐出するためのノズル３３Ｂ、ノズル３３Ｂに連通するインク圧力室３３Ｃ、及びインク圧力室３３Ｃに接して設けられた圧電素子３３Ｄを含んで構成されている。圧電素子３３Ｄは、周知のように、電圧を印加することにより形状が変化する性質を有しており、この形状変化を利用して、インク圧力室３３Ｃ内に圧力をかけることにより、ノズル３３Ｂからインク滴を吐出して、用紙Ｑ上にドットを記録する。このとき、図４（Ａ）及び図４（Ｃ）に示すように、圧電素子３３Ｄに印加する電圧すなわち駆動波形や駆動電圧等を制御することによって、ノズル３３Ｂから大滴のインク滴（図４（Ｂ）参照）、ノズル３３Ｂから小滴のインク滴（図４（Ｄ）参照）、ドット形成の禁止や、中滴のインク滴の吐出等を制御し、大滴、中滴、小滴、及び滴無し等のドットサイズを制御することができる。
【００２５】
なお、本実施の形態では、圧電素子３３Ｄを用いてインクを吐出する場合を説明するが、このような形態に限られるものではなく、例えば、インク圧力室３３Ｃ内のインクに熱を加えることによって、インク滴の吐出によって記録されるドットの大きさを制御するようにしてもよい。
【００２６】
記録ヘッドアレイ３０の近傍には、記録ヘッド３２各々に対応するメンテナンス機構３４各々が配置されている。記録ヘッド３２に対してメンテナンスを行う場合には、図２に示すように、記録ヘッドアレイ３０が上方へ移動し、搬送ベルト２８との間に構成された間隙にメンテナンス機構３４が移動して入り込む。そして、ノズル面に対向した状態で、ノズル内のインクを吸引する復旧処理を行う。
【００２７】
なお、搬送ベルト２８は、一例として、半導電性ポリイミド材（例えば、表面抵抗値１０10〜１０13Ω／ｍ2、体積抵抗値１０9〜１０12Ω・ｃｍ）を、厚さ７５μｍ、幅３８０ｍｍ、周長１０００ｍｍに成形したものを使用できる。また、駆動ロール２４及び従動ロール２６としては、一例として、直径５０ｍｍのＳＵＳロールを使用できる。
【００２８】
図３に示すように、記録ヘッドアレイ３０の上流側には、帯電ロール３６が配置されている。帯電ロール３６は、従動ロール２６との間で搬送ベルト２８及び用紙Ｑを挟みつつ従動し、用紙Ｑを搬送ベルト２８に押圧する押圧位置（図３参照）と、搬送ベルト２８から離間した離間位置（図示省略）との間を移動可能とされている。押圧位置では、接地された従動ロール２６との間に所定の電位差が生じるため、用紙Ｑに電荷を与えて搬送ベルト２８に静電吸着させることができる。
【００２９】
帯電ロール３６としては、例えば、シリコーンゴムの表面に導電性カーボンを被覆し、体積抵抗値１０6〜１０7Ω・ｃｍ程度に調整した直径１４ｍｍのロールを使用することができる。
【００３０】
なお、帯電ロール３６よりもさらに上流側には、図示しないレジロールが設けられており、用紙Ｑが搬送ベルト２８と帯電ロール３６との間に至る前に位置合わせされる。
【００３１】
記録ヘッドアレイ３０の下流側には、剥離プレート４０が配置されており、用紙Ｑを搬送ベルト２８から剥離することができる。剥離プレート４０としては、たとえば、厚さ０．５ｍｍ、幅３３０ｍｍ、長さ１００ｍｍのアルミプレートを使用することができる。
【００３２】
剥離された用紙Ｑは、剥離プレート４０の下流側で排出経路４４を構成する複数の排出ローラ対４２で搬送され、筐体１４の上部に設けられた排紙トレイ４６に排出される。
【００３３】
剥離プレート４０の下方には、駆動ロール２４との間で搬送ベルト２８を挟持可能なクリーニングロール４８が配置されており、搬送ベルト２８の表面をクリーニングするようになっている。
【００３４】
給紙トレイ１６と搬送ベルト２８の間には、複数の反転用ローラ対５０で構成された反転経路５２が設けられており、片面に画像記録された用紙Ｑを反転させて搬送ベルト２８に保持させることで、用紙Ｑの両面への画像記録を容易に行えるようになっている。
【００３５】
搬送ベルト２８と排紙トレイ４６の間には、４色の各インクをそれぞれ貯留するインクタンク５４が設けられている。インクタンク５４のインクは、図示を省略するインク供給配管をによって、記録ヘッドアレイ３０に供給される。インクとしては、水性インク、油性インク、溶剤系インク等、公知の各種インクを使用できる。
【００３６】
このような全体構成とされた本実施形態のインクジェット記録装置１２では、上記したように、給紙トレイ１６から取り出された用紙Ｑが搬送され、搬送ベルト２８に至る。そして、帯電ロール３６によって搬送ベルト２８に押し付けられると共に、帯電ロール３６からの印加電圧によって搬送ベルト２８に吸着（密着）して保持される。この状態で、搬送ベルトの循環によって用紙Ｑが吐出領域ＳＥを通過しつつ、記録ヘッドアレイ３０からインク滴が吐出されて、吐出領域ＳＥ上に画像が記録される。
【００３７】
本実施の形態では、複数のインクジェット記録ヘッドが配列された構成の長尺状のイエロー（Ｙ）、マゼンタ（Ｍ）、シアン（Ｃ）、及びブラック（Ｋ）の４色の記録ヘッド３２が、搬送方向に沿って配列された構成となっており、フルカラーの画像を記録可能になっているが、それぞれの記録ヘッド３２の配列数は、４個に限定されるものではない。
【００３８】
図５に示すように、本実施の形態に係るインクジェット記録装置１２の制御系は、制御部６０、色変換部６２、画像処理部６４、記録データ作成部６６、及び画像記録部６８を含んで構成されている。なお、色変換部６２、画像処理部６４、及び記録データ作成部６６は、パーソナルコンピュータ等の外部装置側に設けられていてもよい。
【００３９】
制御部６０は、色変換部６２、画像処理部６４、記録データ作成部６６、及び画像記録部６８を統括制御する。なお、画像記録部６８は、上記図１乃至図３を参照して説明したインクジェット記録装置１２のうちインクジェット記録ヘッド３３等の画像の記録に関する構成要素を含むものである。
【００４０】
色変換部６２は、外部から入力された画像データがＲＧＢデータの場合には、ＹＭＣＫデータに変換する。なお、本実施の形態では、外部から入力された画像データは、各画素Ｒ、Ｇ、及びＢ各々について、記録したときの最大濃度を最大値とし、記録したときの最小濃度を最小値とする階調値で各画素のデータが表された画像データである。従って、色変換された画像データも同様に、Ｙ、Ｍ、Ｃ、及びＫ各々の画素について、記録したときの最大濃度を最大値とし、記録したときの最小濃度を最小値とする階調値で各画素のデータが表された画像データである。本実施の形態では、階調値の最大値は２５５であり、最小値は０であるものとして説明するが。階調値の最大値は２５５に限られるものではない。
【００４１】
画像処理部６４は、詳細は後述するが、用紙Ｑやインクの特性に応じて色変換された画像データの濃度変換を行う濃度変換処理や、各画素の階調値が変換された画像データを更にインクジェット記録装置１２で記録可能な階調数の画像データに変換する所謂ハーフトーン処理等を実行する。濃度変換処理は、記録したときの濃度と階調値との関係が、最小濃度から最大濃度まで線形になるように、各画素の階調値を変換する処理である。色変換部６２で色変換された画像データの各画素の階調値と、用紙Ｑに記録されるときの濃度とは、階調値が高い領域では濃度が飽和する。飽和濃度とは、各画素の階調値の増加に対して記録したときの濃度変化が飽和するときの濃度である。図６に示すように、各画素の階調値が大きくなる程記録したときの濃度は高くなるが、階調値の増加に対して記録したときの濃度変化が飽和する飽和濃度に達すると、飽和濃度に対応する階調値以上に階調値が増大しても記録したときの濃度には変化が見られなくなる。このため、濃度と階調値との関係は、非線形に変化するような非線形関係７０となる。このように、色変換された画像データの各画素の階調値を変換せずにこの階調値に基づいて画像記録を行うと、記録したときの濃度分布は、高濃度領域へ偏る。このため、濃度と階調値との関係が線形関係７２になるように、各画素の階調値を変換する濃度変換処理を行う。画像処理部６４には、各種データを記憶するメモリ６５が設けられている。メモリ６５には、濃度変換処理を行うために、図７に示すように、濃度変換前の階調値と濃度変換後の階調値との対応を示す濃度変換テーブルが予め記憶されている。この濃度変換テーブルに基づいて、例えば、濃度変換前の階調値２５５は、濃度変換後の階調値２５５に変換され、濃度変換前の階調値１５０の場合は、濃度変換後の階調値１００に変換される。
【００４２】
また、メモリ６５には、各色記録ヘッド３２各々に設けられた複数のインクジェット記録ヘッド３３の内、インク滴の不吐出や吐出不良等により正常にインク滴を吐出することが困難な不良ノズルを示す位置情報が予め記憶されている。この不良ノズルの位置情報は、予め記録ヘッド３２の製造段階や使用開始時等で検出されている。
【００４３】
記録データ作成部６６は、画像処理部６４で処理された画像データを、画像記録部６８が解読可能なデータ構造に変換し、記録順序（転送順序）にデータを並び替えて画像記録部６８へ出力する。このとき、インクジェット記録ヘッド３３やノズル３３Ｂの配列にマッピングさせた吐出タイミングやデータ配列も考慮して記録データを作成する。
【００４４】
画像記録部６８は、記録データ作成部６６で作成されたＹＭＣＫの記録データに従って、各インクジェット記録ヘッド３３のノズル３３Ｂ各々からインクを吐出させる。これにより、用紙Ｑ上にドットが記録され、画像が記録される。
【００４５】
画像処理部６４では、図８に示す処理ルーチンが実行される。
【００４６】
ステップ１００では、色変換部６２で色変換された画像データの各画素毎のデータを読込む。次のステップ１０２では、メモリ６５から不良ノズルの位置を示す位置情報読込み、この不良ノズルの位置情報と、読込んだ画素の、用紙Ｑに記録される画像上の位置情報とに基づいて、上記ステップ１００で読込んだ画素が不良ノズルで記録する画素か否かを判別する。
【００４７】
ステップ１０２で否定されると、ステップ１０４へ進み、上記ステップ１００で読込んだ画素を記録するノズルの、不良ノズルからの距離を算出する。
【００４８】
次のステップ１０６では、上記ステップ１０２で算出した不良ノズルからの距離が予め定めた所定距離未満か否かを判別することによって、不良周辺ノズルで記録する画素か否かを判別し、肯定されると、ステップ１０８へ進む。
【００４９】
ステップ１０８では、メモリ６５に格納されている濃度変換テーブルに基づいて、濃度変換前の画素の階調値を、この階調値に対応する濃度変換後の階調値へ変換する。
【００５０】
次のステップ１１２では、前記ステップ１０４で算出した、不良ノズルからの距離に応じて、距離が大きくなるほど小さくなるような補正量を算出する。補正量は、例えば、下記式（１）によって算出される。
【００５１】
【数１】
2006076086.tif 000003
【００５２】
Ｘは補正量を示している。Ｄ１は、濃度変換前の階調値であり、Ｄ２は、Ｄ１を濃度変換した後の階調値である。図９に示す用に、Ｌは、上記ステップ１０６で不良ノズルの周辺の画素であることを判別するときに用いた所定距離を示し、所定距離Ｌ以上離れた位置のノズル３３Ｂn+1は、上述の不良ノズル及び不良周辺ノズル以外の正常ノズルに相当する。ｌｎは、不良周辺ノズル３３Ｂ1〜n各々の不良ノズル３３Ｂ1からの距離を示している。ｎは、画素を記録するノズルから不良ノズル３３Ｂ1までのノズルの数を示している。このように、濃度変換前の階調値Ｄ１と濃度変換後の階調値Ｄ２との差と、不良ノズル３３Ｂ1から正常ノズル３３Ｂn+1までの距離Ｌとで定まる単位距離当たりの単位補正量と、不良周辺ノズル３３Ｂ1〜nの不良ノズル３３Ｂ1からの距離と、に基づいて不良周辺ノズル３３Ｂ1〜nの不良ノズル３３Ｂ1からの距離が大きくなるほど小さくなるような補正量Ｘを算出する。
【００５３】
上記式（１）に基づいて算出した補正量と不良周辺ノズル３３Ｂ1〜nの不良ノズル３３Ｂ1からの距離との関係は、例えば、図１０（Ａ）に示すように、非線形の関係となる。
【００５４】
次のステップ１１４では、上記ステップ１１２で算出した補正量に応じて、上記ステップ１０８の濃度変換処理によって得られた濃度変換後の階調値を補正する補正処理が実行される。補正処理は、不良ノズルに隣接する不良周辺ノズルから正常ノズル方向に向かって、補正量の加算及び減算を１画素毎に交互に繰り返すことによって、濃度変換後の階調値を補正する。例えば、図１１に示すように、濃度変換前の階調値１５０が濃度変換されることによって、階調値１００に変換されるとともに、上記ステップ１１２の処理によって、不良ノズルの隣の不良周辺ノズルの補正量１０、不良ノズルから２つ隣の不良周辺ノズルの補正量５、不良ノズルから３つ隣の不良周辺ノズルの補正量３、及び不良ノズルから４つ隣の不良周辺ノズルの補正量１が算出されたとする。この場合、不良ノズルの隣の不良周辺ノズルで記録する画素の濃度変換後の階調値は、濃度変換後の階調値１００に補正量１０を加算した階調値１１０に補正される。また、不良ノズルから２つ隣の不良周辺ノズルで記録する画素の濃度変換後の階調値は、濃度変換後の階調値１００から補正量５を減算した階調値９５に補正される。不良ノズルから３つ隣の不良周辺ノズルで記録する画素の濃度変換後の階調値は、濃度変換後の階調値１００に補正量３を加算した階調値１０３に補正される。不良ノズルから４つ隣の不良周辺ノズルで記録する画素の濃度変換後の階調値は、濃度変換後の改良値１００から補正量１を減算した階調値９９に補正される。
【００５５】
ステップ１１４の処理によって、不良周辺ノズルで記録する画素の濃度変換後の階調値が、不良ノズルからの距離が大きくなる程小さくなる補正量の、不良ノズルから正常ノズル方向に１画素毎に加算及び減算を繰り返した値に補正される。
【００５６】
一方、上記ステップ１０６で否定され、不良ノズル及び不良周辺ノズル以外の正常ノズルで記録する画素である場合には、ステップ１００へ進み、上記ステップ１０８と同様に、濃度変換テーブルに応じた濃度変換処理が行われ、濃度変換前の画素の階調値が濃度変換後の階調値へと変換される。
【００５７】
次にステップ１１６では、上記ステップ１１０で正常ノズルで記録する画素の階調値が濃度変換された画像データ、及び上記ステップ１１４で不良周辺ノズルで記録する画素の階調値が濃度変換された後に更に不良ノズルからの距離に応じて補正された画像データについて、インクジェット記録装置１２で表現可能な階調数となるように、上記ステップ１１４の処理により補正、または上記ステップ１１０の処理により濃度変換された各画素の階調値を更に変換するハーフトーン処理（量子化処理ともいう）を行う。本実施の形態では、インクジェット記録装置１２が表現可能な４階調への量子化、すなわち、「滴無し」、「小滴」、「中滴」、及び「大滴」各々を示す階調値「０」、「１」、「２」及び「３」の４階調への量子化、すなわちハーフトーン処理を行う。なお、インクジェット記録装置１２が表現可能な階調数は、上記４種類の階調に限るものではなく、例えば、２種類、または３種類や、５種類以上の複数種類の階調としてもよい。なお、量子化演算方法は、一般的に知られている誤差拡散法を用いるものとし、誤差拡散法の詳細な説明については省略する。
【００５８】
ステップ１１６のハーフトーン処理が行われる事によって、不良周辺ノズルと、不良周辺ノズル及び不良ノズル以外の正常ノズル各々で記録する画素の、記録するときのドットサイズ、すなわち「大滴」、「中滴」、「小滴」、及び「滴無し」が設定される。
【００５９】
一方、上記ステップ１０２で肯定されると、ステップ１１８へ進み、不良ノズルで記録する画素の階調値として、最小値「０」を設定することによって、記録するドットサイズ「滴無し」を設定する。
【００６０】
次のステップ１２０では、画像データの全画素についてドットサイズの設定が終了したか否かを判断し、否定されると、上記ステップ１００へ戻り、肯定されると、本ルーチンを終了する。
【００６１】
上記ステップ１００乃至ステップ１２０の処理ルーチンが実行されることによって、従来の技術では、図１２（Ａ）に示すように、不良ノズル３３Ｂ1に隣接する不良周辺ノズル３３Ｂ2で記録する画素７３Ｂ2の階調値のみを、図１２（Ｂ）及び（Ｃ）に示すように濃度をあげるように補正、すなわち階調値が増加するように補正することによって、不良ノズル３３Ｂ1に隣接する不良周辺ノズル３３Ｂ2で記録する画素７３Ｂ2の記録したときの濃度を通常記録時より高くする。このため、不良ノズルで記録する画素に隣接する画素の記録したときの濃度のみが上昇し、この画素によって不良ノズルと反対側で黒筋が発生し、画質劣化を招いていた。しかしながら、本実施の形態のインクジェット記録装置１２では、図１２（Ｄ）に示すように、不良ノズル３３Ｂ1に隣接する不良周辺ノズル３３Ｂ2で記録する画素７３Ｂ2のみではなく、不良周辺ノズル２２Ｂ1から正常ノズルＢ6までの間の、不良周辺ノズル３３Ｂ3、不良周辺ノズル３３Ｂ4、及び不良周辺ノズル３３Ｂ5について階調値を補正する。この階調値の補正は、図１２（Ｅ）及び（Ｆ）に示すように、不良ノズル３３Ｂ1に隣接する不良周辺ノズル３３Ｂ2から正常ノズルＢ6方向に向かって、不良ノズル３３Ｂ1からの距離が大きくなるほど小さくなる補正量の加算及び減算を１画素毎に交互に繰り返し実行する。これによって、不良ノズル３３Ｂ1に隣接する不良周辺ノズル３３Ｂ2の濃度が、濃度変換によって得られた階調値に基づく濃度より大きくなるが、不良周辺ノズル３３Ｂ2から正常ノズル３３Ｂ6方向に向かって、濃度は減衰振動する。
【００６２】
従って、隣接する不良周辺ノズル３３Ｂ2で記録する画素のみが濃度が高くなることを防ぐことができるとともに、不良周辺ノズル３３Ｂ2から正常ノズルＢ6方向に向かって、補正量に基づいて補正した階調値から除々に濃度変換により得られた階調値へと濃度が推移するので、隣接する不良ノズル３３Ｂ2で記録する画素による黒筋の発生を抑制することができる。また、不良ノズルＢ6で記録する画素から正常ノズルＢ6で記録する画素間で大きな濃度差が発生することを防ぐことができる。
【００６３】
従って、不良ノズルによる画質劣化を抑制することができる。
【００６４】
また、上記式（１）に基づいて算出した補正量と距離との関係は、図１０（Ａ）に示すように、非線形の関係となることから、補正量を、不良ノズルに隣接する不良周辺ノズルの補正量から、正常ノズルに向かって補正量を指数関数的に減少させることができるので、濃度変化が視覚されにくい高濃度領域では急激に濃度を減少させ、濃度変化が視覚されやすい低濃度領域ではゆるやかに濃度が減少するようにドットを記録することができる。
【００６５】
なお、本実施の形態では、補正量は、不良ノズル３３Ｂ2の距離が大きくなるほど１画素毎に小さくなるように算出する場合を説明したが、２画素単位で小さくなるように算出してもよい。このようにすれば、図１２（Ｅ）に示すように、濃度変換後の階調値に加算及び減算する、隣接する画素の濃度変換された階調値に加算する補正量ａと、この画素に隣接する画素の濃度変換された階調値から減算する補正量ｂとが同一の値となるので、濃度変換によって得られた変換後の階調値の値からのずれが発生することを抑制することができ、画像データ全体における、濃度変換によって得られた変換後の階調値からのずれを抑制することができる。また、補正量の算出に要する時間を短縮することができ、処理の高速化を図ることができる。
【００６６】
なお、本実施の形態では、補正量を式（１）によって算出する場合を説明したが、不良ノズルからの距離が大きくなるほど小さくなるような補正量を算出可能な式であればよく、式（１）は、記録する用紙の種類やインクの種類や補正量をノズルからの距離に応じてどのように減少させるか、等によりことなる式を用いても良く、式（１）に限られるものではない。
【００６７】
また、本実施の形態では、式（１）を用いて補正量を算出し、補正量と距離との関係が図１０（Ａ）に示すように非線形となり、不良ノズルからの距離が大きくなるほど補正量が指数関数的に減少する場合を説明したが、補正量と距離との関係は、非線形の関係に限られるものではない。例えば、図１０（Ｂ）に示すように、線形の関係になるようにしてもよい。この場合、上記式（１）とは異なる、不良ノズルからの距離が大きくなるほど補正量が線形関係で減少するような数式を用いて補正量を求めるようにすればよい。このようにすれば、補正量の算出を高速に実行することができる。
【００６８】
なお、本実施の形態では、ステップ１１４の階調値の補正処理において、算出した補正量を、不良ノズルに隣接する不良周辺ノズルから正常ノズル方向に向かって、１画素毎に補正量の加算及び減算を交互に繰り返すことによって、濃度変換された階調値を補正する場合を説明したが、２画素毎に補正量の加算及び減算を交互に繰り返してもよい。この場合、補正量は、不良ノズルからの距離が大きくなるほど１画素毎に小さくなる補正量を採用してもよいが、２画素毎に小さくなる補正量を採用してもよい。このようにすれば、不良ノズルからの距離が大きくなるほど隣接する２つの画素毎に同一の補正量の加算及び減算が行われるので、画像データ全体の濃度が、濃度変換処理によって得られた階調値に基づく濃度とは異なる濃度となることを抑制することができる。
【００６９】
また、本実施の形態では、ステップ１１４の階調値の補正処理において、算出した補正量を、不良ノズルに隣接する不良周辺ノズルから正常ノズル方向に向かって、１画素毎に補正量の加算及び減算を交互に繰り返すことによって、濃度変換された階調値を補正する場合を説明したが、不良ノズルからの距離に応じて小さくなる補正量を、濃度変換された階調値に加算することによって補正するようにしてもよい。
【００７０】
なお、本実施の形態では、濃度変換された階調値を、不良ノズルからの距離に応じた補正量に応じて補正することによって、記録される画素の濃度が不良ノズルに隣接する不良周辺ノズルで記録する画素から正常ノズルで記録する画素に向かって除々に濃度変換された階調値に基づく濃度へと移行するように制御する場合を説明したが、この濃度変化を、圧電素子３３Ｄによる駆動波形または駆動電圧を制御によって行うようにしてもよい。この場合、不良ノズルに隣接する不良周辺ノズルから大滴のインク滴を吐出し、この不良周辺ノズルから正常ノズルに向かって除々に画像データに応じたドットサイズのインク滴が吐出されるように、圧電素子３３Ｄに印加する駆動波形や、駆動電圧を制御すればよい。また、不良ノズルに隣接する不良周辺ノズルから大滴のインク滴を吐出するようにし、この不良周辺ノズルから正常ノズルに向かって除々に画像データに応じたドットサイズのインク滴が吐出されるように、ハーフトーン処理において制御を行うようにしてもよい。
【００７１】
また、上記ステップ１１６のハーフトーン処理では、不良周辺ノズル及び正常ノズルの双方において、４値のハーフトーン処理を実行する場合を説明したが、不良周辺ノズルでは、２値のハーフトーン処理を実行してもよい。このようにすれば、不良ノズルに隣接する不良周辺ノズルの濃度を大きくすることができる。
【図面の簡単な説明】
【００７２】
【図１】本発明のインクジェット記録装置を画像記録状態で示す概略図である。
【図２】本発明のインクジェット記録装置をメンテナンス状態で示す概略図である。
【図３】本発明のインクジェット記録装置の搬送ベルト及びその近傍を示す概略構成図である。
【図４】記録ヘッドから吐出されるインク滴の大きさ制御を示すイメージ図であり、（Ａ）は、大滴のインクを記録ヘッドから吐出するために圧電素子へ印可する電圧を示す波形であり、（Ｂ）は大滴を吐出するときの記録ヘッドの断面図であり、（Ｃ）は、小滴のインクを記録ヘッドから吐出するために圧電素子へ印加する電圧を示す波形であり、（Ｄ）は、小滴を吐出するときの記録ヘッドの断面図である。
【図５】本発明に係るインクジェット記録装置の制御ブロック図である。
【図６】濃度変換処理前と後各々の記録したときの濃度と階調値との関係を示す線図である。
【図７】濃度変換前の階調値と濃度変換後の階調値との対応を示すルックアップテーブルの一例である。
【図８】画像処理部で実行される処理を示すフローチャートである。
【図９】不良ノズル、不良周辺ノズル、及び正常ノズルを示すイメージ図である。
【図１０】不良ノズルからの距離が大きくなるほど小さくなる補正量を示す線図であり、（Ａ）は、不良ノズルからの距離と補正量との関係が非線形的である場合を示す線図であり、（Ｂ）は、不良ノズルからの距離と補正量との関係が線形的である場合を示す線図である。
【図１１】不良ノズルの隣の不良周辺ノズル、不良ノズルから２つ目の不良周辺ノズル、不良ノズルから３つ目の不良周辺ノズル、及び不良ノズルから４つ目の不良周辺ノズル各々で記録する画素の補正量、補正後の階調値の算出方法、及び補正後の階調値の一例を示す模式図である。
【図１２】従来の不良ノズルによる画質劣化の抑制方法と、本発明の不良ノズルによる画質劣化の抑制方法とを示す模式図であり、（Ａ）は、従来技術における不良ノズルを含む記録ヘッドで画素を記録したときの濃度を示す模式図であり、（Ｂ）は、従来技術における各画素の階調値の補正量をデジタル的に示す模式図であり、（Ｃ）は、従来技術における各画素の階調値の補正量をアナログ的に示す線図である。また、（Ｄ）は、本発明における不良ノズルを含む記録ヘッドで画素を記録したときの濃度を示す模式図であり、（Ｅ）は、本発明における各画素の階調値の補正量をデジタル的に示す模式図であり、（Ｆ）は、本発明における各画素の階調値の補正量をアナログ的に示す線図である。
【符号の説明】
【００７３】
１２  インクジェット記録装置
３２  記録ヘッド
３３  インクジェット記録ヘッド
６４  画像処理部
【図１】
2006076086.tif 000004
【図２】
2006076086.tif 000005
【図３】
2006076086.tif 000006
【図４】
2006076086.tif 000007
【図５】
2006076086.tif 000008
【図６】
2006076086.tif 000009
【図７】
2006076086.tif 000010
【図８】
2006076086.tif 000011
【図９】
2006076086.tif 000012
【図１０】
2006076086.tif 000013
【図１１】
2006076086.tif 000014
【図１２】
2006076086.tif 000015